(57)【要約】【課題】ヒータ部および換気、排気用の風路などの製品の外郭を覆う板金を不要とし、消費電力が少ない浴室用乾燥換気装置を提供する。【解決手段】  側面に浴室の空気を室外に排気するための排気口１１を有し、下面に浴室に連通する吸込開口１２と吹出開口１３を有する本体１１内にファンモータ１５と、このファンモータ１５により回転するファン１４と、吹出開口１３の上流部に配置したヒータ１６とを備え、ファン１４の回転により吸込開口１２から吸い込んだ空気を排気口１１および吹出開口１３の少なくとも一方に導入し、ヒータ１６の表面積が１Ｗあたり１×１０-4m2以上で、ヒータ１６を通過するときの風速が０．５ｍ／ｓ以上とし、ヒータ１６表面の温度が１８０℃以下である浴室換気乾燥機を構成することにより、ヒータは低入力電力であるので温度を低くすることができ、製品の外郭を覆う板金を不要とし、かつ低消費電力とすることができる。【選択図】図１ 
2005195290.tif 000002
【特許請求の範囲】
【請求項１】
側面に浴室の空気を室外に排気するための排気口を有し、前記浴室に連通する吸込開口と吹出開口を有する本体内にファンモータと、このファンモータにより回転するファンと、前記吹出開口の上流部に配置したヒータとを備え、前記ファンの回転により前記吸込開口から吸い込んだ空気を前記排気口および前記吹出開口の少なくとも一方に導入する浴室換気乾燥機であって、前記ヒータの表面積が１Ｗあたり１×１０-4m2以上で、前記ヒータを通過するときの風速が０．５ｍ／ｓ以上とし、前記ヒータ表面の温度が１８０℃以下であることを特徴とする浴室換気乾燥機。
【請求項２】
前記ヒータに一定時間通電後、通電を停止することを特徴とする請求項１に記載の浴室換気乾燥機。
【請求項３】
前記排気口および吹出開口に流れる空気の流量を制御するダンパと、このダンパの回転位置を制御するモータを有することを特徴とする請求項１または２に記載の浴室換気乾燥機。
【請求項４】
前記ヒータとこのヒータの安全装置とをユニットとして、吹出開口に下方より挿入可能とすることを特徴とする請求項１、２、または３に記載の浴室換気乾燥機。
【請求項５】
前記ヒータの作動状態を表示する手段を有することを特徴とする請求項１〜４のいずれかに記載の浴室換気乾燥機。
【請求項６】
前記吸込開口に流入する空気および前記吹出開口から吹き出す空気の少なくとも一方を除菌する除菌ユニットを有することを特徴とする請求項１〜５のいずれかに記載の浴室換気乾燥機。
【請求項７】
前記排気口および吹出開口にまたがって回転する円盤状のデシカント素子を有し、前記デシカント素子の排気口側の上流に乾燥用ヒータを配置したことを特徴とする請求項１〜６のいずれかに記載の浴室換気乾燥機。
【請求項８】
本体内部が複数の室に分割されて各室内にファンが設けられ、前記排気口を有する側面以外の側面に１つまたは複数の吸気口を有し、前記分割された室の第１の室は浴室に連通する吸込開口と吹出開口を有し、前記分割された室の第１の室以外の各室は各々前記吸気口、前記排気口および浴室からの前記吸込開口に連通されていることを特徴とする請求項１に記載の浴室換気乾燥機。
【請求項９】
前記第１の室における浴室に連通した吸込開口の開口量を制御するダンパを有することを特徴とする請求項８に記載の浴室換気乾燥機。
【請求項１０】
前記第１の室におけるファンの風向を浴室に連通する吹出開口と排気口のいずれかに制御するダンパを有することを特徴とする請求項８または９に記載の浴室換気乾燥機。
【発明の詳細な説明】
【技術分野】
【０００１】
本発明は、浴室などの室内の空気を換気乾燥する浴室換気乾燥機に関する。
【背景技術】
【０００２】
従来、浴室の換気装置に乾燥あるいは暖房機能を持たせ、浴室の空気を換気乾燥する浴室換気乾燥機がいくつか提案されている。たとえば、浴室内の空気を建物外に排気する排気系ユニットと、浴室内の空気を循環させる循環系ユニットを備え、浴室内の入浴者をヒータの輻射熱で温める構成の浴室用乾燥暖房装置が知られている（例えば特許文献１参照）。
【特許文献１】特開２００２−３３３１５３号公報（請求項１、図２など）
【発明の開示】
【発明が解決しようとする課題】
【０００３】
この種の従来の浴室用乾燥暖房装置においては、乾燥、暖房効果を高めるために１ｋＷ以上のヒータを使用するのが常である。この場合、ヒータは非常に高温になるため、ヒータ近傍や換気、排気用の風路が高温になって、浴室用乾燥暖房装置のケースやダクト、浴室の天井などに引火して火災を引き起こす恐れがある。このため、従来はヒータ部および換気、排気用の風路など製品の外郭を板金で覆い、浴室用乾燥暖房装置の外部が発火温度あるいはその近傍の高温にならないようにする対策が不可欠である。
【０００４】
ヒータ部および換気、排気用の風路を板金で覆うことにより、浴室用乾燥暖房装置としての本来の機能には必要のない材料が新たに必要になり、しかも製造工程も増えるので製造コストが上昇する。また、施工面においても製品重量が重くなり施工性が悪くなる。
【０００５】
また、近年、省エネのニーズが高いので、衣類を乾燥させるためだけに常時１ｋW以上の大電力を消費する浴室用乾燥暖房装置は使用頻度が低いというのが現状である。
【０００６】
本発明はこのような課題を解決するもので、ヒータ部および換気、排気用の風路などの製品の外郭を覆う板金を不要とし、しかも消費電力が少ない浴室用乾燥換気装置を提供することを目的とするものである。
【０００７】
また、浴室内のカビの繁殖を防止するとともに、消臭効果を有する浴室用乾燥換気装置を提供することを目的とするものである。
【０００８】
また、浴室の乾燥時間を低減して乾燥に要する運転時間を低減した浴室用乾燥換気装置を提供することを目的とするものである。
【課題を解決するための手段】
【０００９】
本発明の浴室換気乾燥機は上記目的を達成するために、側面に浴室の空気を室外に排気するための排気口を有し、前記浴室に連通する吸込開口と吹出開口を有する本体内にファンモータと、このファンモータにより回転するファンと、前記吹出開口の上流部に配置したヒータとを備え、前記ファンの回転により前記吸込開口から吸い込んだ空気を前記排気口および前記吹出開口の少なくとも一方に導入する浴室換気乾燥機であって、前記ヒータの表面積が１Ｗあたり１×１０-4m2以上で、前記ヒータを通過するときの風速が０．５ｍ／ｓ以上とし、前記ヒータ表面の温度が１８０℃以下であることを特徴とする。
【００１０】
また、本発明の浴室換気乾燥機は上記目的を達成するために、前記ヒータに一定時間通電後、通電を停止することを特徴とする。
【００１１】
また、本発明の浴室換気乾燥機は上記目的を達成するために、前記排気口および吹出開口に流れる空気の流量を制御するダンパと、このダンパの回転位置を制御するモータを有することを特徴とする。
【００１２】
また、本発明の浴室換気乾燥機は上記目的を達成するために、前記ヒータとこのヒータの安全装置とをユニットとして、吹出開口に下方より挿入可能とすることを特徴とする。
【００１３】
また、本発明の浴室換気乾燥機は上記目的を達成するために、前記ヒータの作動状態を表示する手段を有することを特徴とする。
【００１４】
また、本発明の浴室換気乾燥機は上記目的を達成するために、前記吸込開口に流入する空気および前記吹出開口から吹き出す空気の少なくとも一方を除菌する除菌ユニットを有することを特徴とする。
【００１５】
また、本発明の浴室換気乾燥機は上記目的を達成するために、前記排気口および吹出開口にまたがって回転する円盤状のデシカント素子を有し、前記デシカント素子の排気口側の上流に乾燥用ヒータを配置したことを特徴とする。
【００１６】
また、本発明の浴室換気乾燥機は上記目的を達成するために、本体内部が複数の室に分割されて各室内にファンが設けられ、前記排気口を有する側面以外の側面に１つまたは複数の吸気口を有し、前記分割された室の第１の室は浴室に連通する吸込開口と吹出開口を有し、前記分割された室の第１の室以外の各室は各々前記吸気口、前記排気口および浴室からの前記吸込開口に連通されていることを特徴とする。
【００１７】
また、本発明の浴室換気乾燥機は上記目的を達成するために、前記第１の室における浴室に連通した吸込開口の開口量を制御するダンパを有することを特徴とする。
【００１８】
また、本発明の浴室換気乾燥機は上記目的を達成するために、前記第１の室におけるファンの風向を浴室に連通する吹出開口と排気口のいずれかに制御するダンパを有することを特徴とする。
【発明の効果】
【００１９】
本発明により、ヒータ部および換気、排気用の風路など製品外郭を覆う板金を不要とし、しかも消費電力が少ない浴室用乾燥換気装置を提供することができる。
【００２０】
また、浴室内のカビの繁殖を防止するとともに、消臭効果を有する浴室用乾燥換気装置を提供することができる。
【００２１】
また、浴室の乾燥時間を低減して乾燥に要する運転時間を低減した浴室用乾燥換気装置を提供することができる。
【発明を実施するための最良の形態】
【００２２】
本発明の請求項１記載の浴室換気乾燥機の発明は、側面に浴室の空気を室外に排気するための排気口を有し、前記浴室に連通する吸込開口と吹出開口を有する本体内にファンモータと、このファンモータにより回転するファンと、前記吹出開口の上流部に配置したヒータとを備え、前記ファンの回転により前記吸込開口から吸い込んだ空気を前記排気口および前記吹出開口の少なくとも一方に導入する浴室換気乾燥機であって、前記ヒータの表面積が１Ｗあたり１×１０-4m2以上で、前記ヒータを通過するときの風速が０．５ｍ／ｓ以上とし、前記ヒータ表面の温度が１８０℃以下であることを特徴とすることにより、換気風は排気口から排気され、循環風はヒータで加温されて吹出開口から浴室内に噴き出され、吹出口から吹出される循環空気を加温するためのヒータの素子密度を小さくするなどの方法で入力電力を小さくし、しかも素子１Ｗあたりの表面積を大きくすることができる。したがって、ヒータの温度を低く設定することができるので、ヒータ部および換気、排気用の風路などの製品の外郭を覆う板金を不要とすることができるとともに、消費電力を小さくすることができる。
【００２３】
本発明の請求項２記載の発明は、請求項１記載の浴室換気乾燥機において、前記ヒータに一定時間通電後、通電を停止することを特徴とすることにより、ヒータの消し忘れを防止して過熱や電力の浪費を防止することができる。
【００２４】
本発明の請求項３記載の発明は、請求項１または２記載の浴室換気乾燥機において、前記排気口および吹出開口に流れる空気の流量を制御するダンパと、このダンパの回転位置を制御するモータを有することを特徴とすることにより、換気運転および乾燥運転の程度を自由に制御することができる。したがって、換気運転のみ、暖房運転のみ、あるいは乾燥運転時の風量バランスの調整などを自由に選択制御することができる。
【００２５】
本発明の請求項４記載の発明は、請求項１、２、または３記載の浴室換気乾燥機において、前記ヒータとこのヒータの安全装置とをユニットとして、吹出開口に下方より挿入可能とすることを特徴とすることにより、浴室換気乾燥機の本体にはヒータ関係の構成を設けずに設計、製造し、ヒータユニットを本体に後付けする構成とすることができる。または、ヒータユニットを取り外すことによりヒータ関連の修理が容易になるなどメンテナンス作業を容易にすることができる。
【００２６】
本発明の請求項５記載の発明は、請求項１〜４のいずれかに記載の浴室換気乾燥機において、前記ヒータの作動状態を表示する手段を有することを特徴とすることにより、ユーザは常にヒータの運転状況を確認することができるので、ヒータの消し忘れを防止して過熱や電力の浪費を防止することができる。
【００２７】
本発明の請求項６記載の発明は、請求項１〜５のいずれかに記載の浴室換気乾燥機において、前記吸込開口に流入する空気および前記吹出開口から吹き出す空気の少なくとも一方を除菌する除菌ユニットを有することを特徴とすることにより、浴室内に浮遊している雑菌を除去できるので、浴室内あるいは浴室換気乾燥機内部におけるカビの発生や臭気の発生を防止することができる。
【００２８】
本発明の請求項７記載の発明は、請求項１〜６のいずれかに記載の浴室換気乾燥機において、前記排気口および吹出開口にまたがって回転する円盤状のデシカント素子を有し、前記デシカント素子の排気口側の上流に乾燥用ヒータを配置したことを特徴とすることにより、浴室の湿度をさらに下げることができるので、浴室内の乾燥時間を短縮させることができる。
【００２９】
本発明の請求項８記載の発明は、請求項１に記載の浴室換気乾燥機において、本体内部が複数の室に分割されて各室内にファンが設けられ、前記排気口を有する側面以外の側面に１つまたは複数の吸気口を有し、前記分割された室の第１の室は浴室に連通する吸込開口と吹出開口を有し、前記分割された室の第１の室以外の各室は各々前記吸気口、前記排気口および浴室からの前記吸込開口に連通されていることを特徴とすることにより、複数の室の換気を同時に行うことができる。
【００３０】
本発明の請求項９記載の発明は、請求項８に記載の浴室換気乾燥機において、前記第１の室における浴室に連通した吸込開口の開口量を制御するダンパを有することを特徴とすることにより、騒音や浴室に供給する風量を自由に制御することができる。
【００３１】
本発明の請求項１０記載の発明は、請求項８または９に記載の浴室換気乾燥機において、前記第１の室におけるファンの風向を浴室に連通する吹出開口と排気口のいずれかに制御するダンパを有することを特徴とすることにより、換気運転時における騒音を低減させることができる。
【００３２】
以下、本発明の実施例について図面を用いて説明する。
【００３３】
（実施例１）
図１は本発明の実施例１における浴室換気乾燥機の内部構成を示す側面図である。本体１０の側面には排気口１１が形成されている。本体の下面には吸込開口１２および吹出開口１３が形成されている。この本体１０の内部には、吸込開口１２の上部にファン１４およびファン１４を回転させるファンモータ１５が設けられている。また、吹出開口１３の上部にはヒータの表面積が１Ｗあたり１×１０-4m2以上で風速が０．５m／ｓ以上とし、ヒータ表面の温度が１８０℃以下であるヒータ１６が設けられている。ここで、ヒータ１６の表面温度を１８０℃以下としたが、本明細書全体において、１８０℃以下とは、故障時や周囲に洗濯物などが近接した異常な場合でも、浴室換気乾燥機の構成部品や設置位置である天井、あるいは洗濯物などが炭化したり、焦げたり、あるいは発火に至らないための温度を意味するものである。例えば、設置位置が木材であった場合は木材は２００℃〜３００℃で炭化がはじまるため、故障時でもヒータ表面温度は１８０℃以下の必要がある。また、洗濯物となる羊毛は２０５℃程度で焦げ始めるため、やはり故障時でもヒータ表面温度は１８０℃以下の必要がある。また、ヒータ１６としては、例えば、安全性に優れたセラミックヒータや低コストなシーズヒータ、あるいは省エネ性に優れた冷媒や温水などの流体が流れるパイプヒータなどが利用可能である。吸込開口１２および吹出開口１３の下側にはルーバ１７が設けられる。ルーバ１７にはその周囲に沿って四方に開口する吸込口１８が形成されており、また、吹出開口１３に対向した位置に吹出グリル１９が形成されている。
【００３４】
ヒータ１６の上部の空間にはダンパ２３が設けられ、ダンパ２３の上面および下面にそれぞれ排気風路２１および循環吹出風路２２が形成される。ダンパ２３はダンパ駆動モータ２４によりその位置が調整され、ダンパ２３の位置に対応して排気風路２１および循環吹出風路２２を流れる風量の比率が調整される。
【００３５】
浴室換気乾燥機の運転はスイッチボックス２５のスイッチを制御して行われ、ファンモータ１５の運転はファンスイッチ２６で、ヒータ１６の運転はヒータスイッチ２７で、ファンモータ１５の回転数切換えは風量スイッチ２８で行われる。ヒータスイッチ２７が作動しているときは、ＬＥＤ２９などを点灯してヒータ１６の作動状態を表示させる。このＬＥＤ２９の点灯により、ヒータの作動状態を確認することができ、消し忘れを防止することができる。なお、この表示はルーバ１７の下部表面に設けて浴室内で確認できるようにすることもできる。スイッチボックス２５は浴室の電灯スイッチなどとともに外部壁面に設置したり、リモコンとして浴室内で操作できるようにしても良い。
【００３６】
なお、以上の説明では、図１に示している通り、ファン１４およびファンモータ１５は水平に配した場合について説明したが、ファン１４、およびファンモータ１５は垂直に配することも可能である。
【００３７】
図２は本実施例におけるヒータ１６の一例を示す。前述したように、ヒータ１６の表面積が１Ｗあたり１×１０-4m2以上、表面温度を１８０℃以下としたが、その方策の１つとしてここではセラミックヒータの方策について説明する。ＰＴＣ素子３０が中央部に複数個（図２（ａ）では３個）配置されており、そのまわりにＰＴＣ素子３０を発熱させるための電極３１を有し、発熱したＰＴＣ素子３０の熱を絶縁アルミナ板３２を介して放熱アルミフィン３３に伝達する。放熱アルミフィン３３間を通過する風にその熱が熱伝達され温風として吹出開口１３、吹出グリル１９より吹出される。ＰＴＣ素子３０を図２（ｂ）のように１個間引きして２個としたり、図２（ｃ）のように２個間引きして１個とすることにより、ＰＴＣ素子３０の密度を小さくし、結果ＰＴＣ素子３０の１Ｗあたりの表面積が大きくなるような構成とし、低入力電力でかつ表面温度を低くすることができる。
【００３８】
一例をあげれば、放熱アルミフィン３３の表面積が０．０７８ｍ2の場合、本発明におけるヒータ１６の一例の入力電力０．６ｋＷのときは表面積が１Ｗあたり１×１０-4m2となる。
【００３９】
図３は本実施例におけるヒータ１６の表面温度、ヒータ１６を通過した後の製品からの吹出温度とヒータ１６を通過するときの風速との関係を示す特性図である。
【００４０】
本発明におけるヒータ１６の一例の入力電力０．６ｋＷの場合の関係と入力電力０．３ｋＷの場合の関係を示したものである。
【００４１】
図３より、表面温度および吹出温度は、表面温度は０ｍ／ｓ時（無風時）が最も高く、風速が上がるにつれ放物線的に低くなっていく。吹出温度については、表面温度よりも低く、曲線もゆるやかな放物線となる。
【００４２】
ここで、通常の乾燥時、吹出温度を洗濯物などが炭化したり、焦げたり、あるいは変色に至らないための温度にしようとするならば、吹出温度は９０℃以下になるようにするべきであり、本発明のヒータ１６の一例の入力電力０．６ｋWの場合は風速的には０．５ｍ／ｓ以上必要となり（本発明の０．６ｋＷヒータの吹出温度の曲線より）、０．５ｍ／ｓ以上ではヒータ１６の表面温度は１８０℃以下となる（本発明の０．６ｋＷヒータの表面温度の曲線より）。
【００４３】
図４はＰＴＣ素子３０のキュリー温度を低くしてヒータ１６の表面温度を低くした場合のヒータ１６の表面温度とヒータ１６を通過するときの風速との関係を示す特性図である。
【００４４】
無風時の表面温度はキュリー温度によって決まる。よって無風時の表面温度を前述の本発明における一例の入力電力０．６ｋＷのセラミックヒータよりさらに下げたい場合は前述のセラミックヒータにおいてキュリー温度を低くする方法がある。ただし、キュリー温度を下げると入力も低くなるため表面温度はＡ線のように全体的に低くなり、吹出温度（図４では図示せず）も低くなってしまう。よって入力、吹出温度を図３と同等の本発明のヒータ１６の一例の入力電力０．６ｋＷになるようにする（Ｂ線のようにする）ためには、今度は前述のＰＴＣ素子を２個に増やすか、または３個に増やすか、あるいはＰＴＣ素子３０を前述の通り１個あるいは２個のままとした場合はＰＴＣ素子３０の大きさを大きくすることによって、Ｂ線のように、風速が高い場合は図３と同等の温度を維持し無風時の表面温度のみ下げることも可能である。
【００４５】
図５（ａ）は乾燥、暖房運転時におけるヒータ１６の入力電力と衣類乾燥時間との関係、図５（ｂ）はヒータ１６の入力電力とランニングコストとの関係を示す特性図である。入力電力が１．３ｋＷの例は従来の浴室換気乾燥機におけるヒータの入力電力、０．３ｋＷおよび０．６ｋＷは本発明におけるヒータの一例の入力電力である。
【００４６】
図５（ａ）から、ヒータ１６の入力電力を０．３ｋＷにすると、従来の１．３ｋＷの場合に比べてヒータ１６の温度が下がるため、浴室内の温度も下がり空気中の保有絶対湿度も大きく下がるために乾燥時間は約２倍になる。しかし、入力電力を０．６ｋＷにすると、乾燥時間は約１．３倍とそれほど長くはならない。一方、ランニングコストは、図５（ｂ）から、入力電力を０．３ｋＷ〜０．６ｋＷの範囲で約１／２になる。したがって省エネルギ効果は著しく向上する。たとえば、外気が２０℃、湿度６０％の条件下で、広さが３．３平方米の浴室に２ｋｇの洗濯物をつるして乾燥運転させたところ、約４時間３０分で乾燥した。このときのランニングコストは、１ｋＷｈの電気代を２４円とすると、約４３円であった。これは従来の電気式浴室乾燥機による同一条件での乾燥運転に比べて約５０％ダウンしたことになる。洗濯物がない浴室乾燥運転でもランニングコストを約６０％ダウンさせることができた。
【００４７】
このとき、ヒータ１６の表面温度は１８０℃以下とし故障時や周囲に洗濯物などが近接した異常な場合でも、浴室換気乾燥機の構成部品や設置位置である天井、あるいは洗濯物などが炭化したり、焦げたり、あるいは発火に至らないため、したがって、従来、防火対策や安全対策のためにヒータ部および換気、排気用の風路などの製品の外郭を覆っていた板金などの部材を不要とすることができる。または、最小限に板金を樹脂にてサンドイッチ状に挟み込む構成、あるいはインサートする構成とすることができる。
【００４８】
なお、以上の説明では、図１の矢印にも示している通り浴室内の空気を天井面２０に沿って吸込口１８からから吸い込ませルーバ１７の下面から吹出させる天井面、床面の乾燥において優位な場合について説明したが、吸込口１８をルーバ１７の下面に形成し、浴室内の空気を下方から吸い込むようにして吹出しをルーバ１７の側面に設け天井面に沿って吹出す壁面の乾燥において優位な構成とすることも可能である。
【００４９】
（実施例２）
図６は本実施例における浴室換気乾燥機の運転を制御する電気回路図である。商用交流電源３４からの電力は運転スイッチ３５、電流ヒューズ３６を介してファンモータ１５に供給される。ファンモータ１５は速調スイッチ３７により回転の強弱が切り換えられる。
ヒータ１６は、ヒータ１６のオンオフを制御するヒータｏｎ／ｏｆｆスイッチ３８、ヒータ用リレー３９、保護装置４０を介して入力電力が供給される。ヒータｏｎ／ｏｆｆスイッチ３８は手動スイッチ３８１またはタイムスイッチ３８２によりヒータ１６への通電を制御する。保護装置４０はヒータ１６が過熱した場合にその温度を検知してヒータ１６への通電を遮断する安全装置を構成している。このヒータ１６への給電回路は、ヒータ１６を含めてヒータユニット４２として一体化することができる。ヒータ１６への給電回路をヒータユニット４２として一体化することにより、浴室換気乾燥機の本体１０にヒータ関係の構成を設けずに設計、製造し、ヒータユニット４２を本体１０に後付けする構成とすることができる。したがって、ヒータユニット４２を取り外すことによりヒータ関連の修理が容易になるなどメンテナンス作業を容易にすることができる。
【００５０】
ダンパ駆動モータ２４には、位置制御スイッチ４１を切り替えてダンパ２３の回転位置を制御する電力が供給される。位置制御スイッチ４１は、ロータリスイッチなどにより段階的にあるいは連続的に切り換えられる。
【００５１】
つぎに、浴室の換気動作について説明する。図１および図６において、運転スイッチ３５をオンにし、位置制御スイッチ４１を切り換えてダンパ駆動モータ２４を駆動し、ダンパ２３を下方に回転させて排気風路２１を全開にし、循環吹出風路２２を閉じる。この状態で速調スイッチ３７を強運転にすると、ファンモータ１５が高速回転し、ファン１４が高速回転する。ファン１４の回転により浴室内の空気が天井面２０に沿って吸込口１８から浴室換気乾燥機内に流入し、吸込開口１２から吸い込まれる。浴室内の空気が天井面２０に沿って吸い込まれると、天井２０に気流が発生し、天面の乾燥時間が短縮され、乾燥効率を向上させることができる。吸い込まれた空気は図１の矢印Ａのように排気口１１方向に曲げられ、ダンパ２３に従って排気風路２１を流れて排気口１１から排気され、排気口１１に接続されたダクト内を通って室外に排気される。このとき、ダンパ２３により循環吹出風路２２は閉じられているので、風は吹出開口１３にはほとんど送られず、吹出グリル１９から風が吹き出すことはない。換気量を小さくするには速調スイッチ３７を弱運転に切り換えればよい。こうして浴室内の空気は換気される。
【００５２】
つぎに、浴室の暖房動作について説明する。図１および図６において、運転スイッチ３５をオンにし、位置制御スイッチ４１を切り換えてダンパ駆動モータ２４を駆動し、ダンパ２３を上方に回転させて排気風路２１を閉じ、循環吹出風路２２を全開にする。そして、ヒータｏｎ／ｏｆｆスイッチ３８をオンにすると、ヒータ１６に通電が開始される。ヒータ１６の通電を一定時間後に停止させたい場合や所定の時刻に通電を開始させたい場合はヒータｏｎ／ｏｆｆスイッチ３８のオン動作をタイムスイッチ３８２で行い、任意にオンオフさせたい場合は手動スイッチ３８１で行う。この状態で速調スイッチ３７を強運転にすると、ファンモータ１５が高速回転し、ファン１４が高速回転する。ファン１４の回転により浴室内の空気が天井面２０に沿って吸込口１８から浴室換気乾燥機内に流入し、吸込開口１２から吸い込まれる。浴室内の空気が天井面２０に沿って吸い込まれると、天井２０に気流が発生し、また、ルーバ１７の下方の吹出しグリル１９から床面に向かって吹出されるため、天面、床面の温度分布が均一化され快適な浴室暖房空間を提供することができる。吸い込まれた空気は図１の矢印Ａのように排気口１１方向に曲げられ、ダンパ２３に従って循環吹出風路２２を流れ、ヒータ１６で加温されて吹出開口を通り、吹出グリル１９から浴室内に循環する。このとき、ダンパ２３により排気風路２１は閉じられているので、排気口１１からの排気はない。循環風量を小さくするには速調スイッチ３７を弱運転に切り換えればよい。こうして浴室内は暖房される。
【００５３】
浴室の乾燥を行うには、位置制御スイッチ４１を切り換えてダンパ駆動モータ２４を駆動し、ダンパ２３を中間位置に回転させて排気風路２１および循環吹出風路２２の両方を開いた状態にすればよい。このとき、ダンパ２３の位置を調整することにより、排気口および吹出開口に流れる空気の流量を制御することができる。したがって、換気運転および暖房運転、乾燥運転の程度を自由に制御することができ、換気運転のみ、暖房運転のみ、あるいは乾燥運転時の風量バランスの調整などを自由に選択制御することができる。
【００５４】
図７は本発明の実施例２における浴室換気乾燥機の内部構成を示す側面図である。図１と同一部分には同一符号を付して説明を省略する。図１と異なる点は、吸込口１８と吸込開口１２の間に除菌ユニット５１を、吹出開口１３と吹出グリル１９の間に除菌ユニット５２を設けた点である。除菌ユニット５１、５２としては、特に限定しないが、たとえばオゾンやイオンを利用した除菌装置や紫外線などの殺菌灯を利用したものなどが利用可能である。
【００５５】
本実施例によれば、吸込口１８から吸い込んだ浴室内の空気を除菌ユニット５１で除菌してファン１４に供給し、また、ファン１４から吹出開口１３に供給される空気を除菌ユニット５２で除菌して浴室内に循環させるようにしているので、循環空気に含まれる雑菌などの有害菌が除去されたクリーンな空気を浴室内に供給することができる。また、雑菌に起因する浴室内のカビの発生を防止し、かつ、循環空気の臭気を消臭することができる。
【００５６】
なお、上記の説明では、除菌ユニット５１、５２を吸込口側および吹出口側の両方に設けた場合について説明したが、いずれか一方にのみ設けるようにしても良いことはもちろんである。
【００５７】
（実施例３）
図８は本発明の実施例３における浴室換気乾燥機の内部構成を示す側面図である。図７と同一部分には同一符号を付して説明を省略する。図７と異なる点は、ダンパ２３の下流側において、排気口１１および吹出開口１３にまたがってモータ５６により回転する円盤状のデシカント素子５５と、デシカント素子５５の排気口１１側の上流に乾燥用ヒータ５７を配置した点である。デシカント素子５５はモータ５６により円盤の中心軸の周りをゆっくり回転しており、ファン１４から吹出開口１３へ送られてくる空気中の湿気を回転している円盤の下方で吸着し、回転して排気口１１側の上方位置にきたとき乾燥用ヒータ５７で乾燥させる。乾燥させた湿気は排気口１１から排出する。
【００５８】
本実施例によれば、図７で説明した循環空気の除菌効果に加え、ファン１４から吹出開口１３に供給される空気中の湿気をデシカント素子５５により除湿して浴室内に循環させるようにしているので、循環空気に含まれる湿気が少なくなる。したがって、浴室内の湿度を更に下げることができるので、浴室内の乾燥時間を短縮させることができる。したがって、ランニングコストを低下させることができる。
【００５９】
なお、図８において、除菌ユニット５１、５２を除いた構成、すなわち、図１の構成にデシカント素子５５、モータ５６および乾燥用ヒータ５７を配して循環空気の除湿効果のみを持たせた構成とすることもできる。
【００６０】
以上の各実施例においては、いずれも換気対象が浴室１室のみの場合であるが、本発明は、換気対象室を２室以上の複数室を換気する場合にも適用することができる。以下の実施例４から７は複数室を換気することができる実施例である。なお、説明を簡単にするために、各実施例においては２室を換気対象とした場合について説明する。
【００６１】
（実施例４）
図９は本発明の実施例４における浴室換気乾燥機の内部構成を示す側面図である。本実施例は換気を洗面所やトイレなどの浴室以外の室に対しても行う２室用の浴室換気乾燥機に適用した実施例である。図１と同一部分には同一符号を付して説明を省略する。
【００６２】
本体１０の内部は隔壁６５により２室に分割されており、第１の室６６は浴室循環用でファン６１が配置され、第２の室６７は浴室以外の室の換気用でファン６２が設置される。ファン６１、６２は両者に共通の１台のファンモータ６３により回転する。
【００６３】
本体１０の排気口１１が形成された側面以外の他の側面には吸気口６８およびダクト６９が連結されている。第１の室６６は吸込開口７１および吹出開口１３により浴室に連通しており、第２の室６７は吸込開口７２により浴室に、吸気口６８により浴室以外の換気すべき室に、また、排気口１１により屋外に連通している。
【００６４】
つぎに動作を説明する。浴室の換気はファン６２により行われ、吸込口７２から吸い込まれた浴室内の空気は第２の室６７を通って排気口１１から排気される。このとき、浴室以外の室の換気もファン６２により行われ、吸気口６８から吸い込まれた空気は第２の室６７を通って排気口１１から排気される。この場合、浴室と他の室の２室が同時に換気されるので、家屋の換気効率が向上する。
【００６５】
浴室の乾燥、暖房は、ファン６１により浴室内の空気を吸込開口７１から第１の室６６内に吸い込み、ヒータ１６で加熱して温風とし、吹出開口１３を経て吹出グリル１９により浴室内に送風させて循環させる。この場合、第１の室６６と第２の室６７は隔壁６５で互いに遮断されているので、第２の室６７からの換気空気が第１の室６６内に侵入することはない。
【００６６】
他の室がたとえばトイレである場合、トイレからの換気空気が第２の室６７に入り、その一部が浴室内に直接あるいは第１の室６６を介して侵入すると浴室内に臭いが侵入する恐れがある。しかし、上記の説明から明らかなように、トイレの換気はファン６２より行われ、このとき同時に浴室の換気も行われるので、トイレからの換気空気が浴室内に侵入することはない。また、第１の室６６と第２の室６７は隔壁６５で互いに遮断されているので、トイレからの換気空気が第２の室６７から第１の室６６内に侵入することもない。したがって、換気運転および乾燥、暖房運転を問わず、トイレのにおいが浴室に進入することはない。
【００６７】
なお、図９の実施例においては、ファン６１、６２を駆動するファンモータ６３を共通の１台のファンモータで行っている。したがって、たとえば浴室の乾燥、暖房を行うと、浴室の換気および他の室の換気も同時に行われるので２つのファン６１、６２が作動する。この場合、ファンモータ６３が高速回転し浴室内の騒音が大きくなり、これに浴室内に風が循環する音も加わって騒音はいっそう大きくなる。そこで、暖房運転により浴室内の温度がある程度上昇したとき、ファンモータ６３の運転を停止させるようにする。これにより、ファン６１、６２が停止して騒音を防止することができる。この停止時間が長いと浴室内の温度が下がったり、室内の空気が汚染したりするので、一定時間、たとえば、入浴時間である３０分〜１時間は停止させ、入浴から上がったら再びファンモータ６３を運転させることが好ましい。このファンモータ６３のオンオフ制御は、たとえば、実施例１で説明したスイッチ２５でオンオフを操作したり、スイッチ２５にタイマースイッチを組み込んで時間制御することにより行うことができる。
【００６８】
（実施例５）
図１０（ａ）は本発明の実施例５における浴室換気乾燥機の内部構成を示す側面図である。図１０（ｂ）は本発明の実施例５における浴室換気乾燥機のダンパ部を下面より見た図である。図１０（ａ）、図１０（ｂ）において、図９と同一部分には同一符号を付して説明を省略する。
【００６９】
実施例４で説明した浴室換気乾燥機は、上述したように浴室の換気のみを行いたい場合にも循環風が発生する。この循環風により冷風感を感じることがある。本実施例はこの課題を解決するものである。そこで本実施例では、第１の室６６の浴室からの吸込開口７１を開閉するダンパ７３を設ける。ダンパ７３は、ギアードモータやステッピングモータなどにより回動し、その回動位置に応じて吸込開口７１の開口面積を制御する。たとえば、浴室に循環風量を最大に循環させる乾燥、暖房運転時には、ダンパ７３を開放して吸込開口７１の開口面積を最大にし、循環風量を少なくしたい場合はダンパ７３を制御して開口面積を小さくする。
【００７０】
本実施例によれば、浴室内に循環させる循環風量をダンパ７３の位置を制御することにより調節することができるので、入浴時の循環風を自在に制御することができ冷風感防止が可能となる。
【００７１】
（実施例６）
図１１（ａ）、（ｂ）は本発明の実施例６における浴室換気乾燥機の内部構成を示す側面図である。図１１（ａ）は乾燥、暖房運転時、図１１（ｂ）は換気運転時の図である。図１１（ａ）、（ｂ）において、図１０と同一部分には同一符号を付して説明を省略する。
【００７２】
本実施例は、隔壁６５の一部にダンパ７５を設け、ファン６１からの風の風向をダンパ７５により切り換えて、乾燥、暖房運転時は図１１（ａ）のように浴室の吹出開口１３方向へ導き、換気運転時には図１１（ｂ）のように排気口１１方向へ導く。
【００７３】
乾燥、暖房運転時は図１０で説明した実施例５と同一の作用効果を呈するが、換気運転時には、同一の換気風量であれば実施例５の場合よりも騒音が低減する。
【００７４】
（実施例７）
図１２（ａ）は本発明の実施例７における浴室換気乾燥機の内部構成を示す側面図である。
【００７５】
図１２（ａ）において、図１１と同一部分には同一符号を付して説明を省略する。
【００７６】
本実施例は、浴室循環用の第１の室６６と換気用の第２の室６７が一つのユニット内に存在し、一つのファンモータ６３にて浴室循環用のファン６１換気用のファン６２を運転させていたものを、換気ファンモータ８３を追加し、単独にて換気用のファン６２を運転させることを可能とし、一つの換気ユニット８０としている。本体１０の側面に図１２（ｂ）、図１２（ｃ）のように配置する構成とする。
【００７７】
この構成により、換気運転を入浴や浴室乾燥のいかんにかかわらず常に運転可能であり、換気中も循環風がないので冷風感も防止できるので、家屋内を２４時間常時換気することができる。また、換気用のファン６２がモータ６３、およびファン６１の上に存在しないため実施例６の構成を有する浴室換気乾燥機より製品の高さを低くすることができるため、天井内の高さが低い場合にでも設置が可能となる。
【００７８】
また、換気ユニット８０を構成することにより、換気を必要としない場合は本体１０のみの構成を容易に達成することができる。また、換気ユニット８０が取り外し可能となりメンテナンス作業も容易となる。施工時も取付側面を図１２（ｂ）、および図１２（ｃ）のように変更することにより排気口１１の向きを変えられるため、容易に排気方向を選択することができる。
【００７９】
また、本体１０と換気ユニット８０の連通部に浴室からの換気風を全閉もしくは低減することができるようにダンパ８２、およびダンパ８２の位置制御するダンパ駆動モータ８３を有し、浴室以外のみの換気、および浴室と浴室以外からの換気の風量バランス調整を行うことができる。なお、以上の説明では、図９〜図１２に示されている通り、ファン６１、６２およびファンモータ６３は水平に配した場合について説明したが、ファン６１、６２およびファンモータ６３は垂直に配することも可能である。
【産業上の利用可能性】
【００８０】
本発明にかかる浴室換気乾燥機は、浴室の換気乾燥、浴室内に干された洗濯物などの乾燥、浴室の暖房などを行う浴室換気乾燥機などに適用できる。
【図面の簡単な説明】
【００８１】
【図１】本発明の実施例１における浴室換気乾燥機の内部構成を示す側面図
【図２】（ａ）現行のセラミックヒータ内部構成を示す断面図（ｂ）発明の実施例１におけるセラミックヒータの内部構成を示す断面図（ｃ）本発明の実施例１におけるセラミックヒータの内部構成を示す断面図
【図３】本発明のヒータの表面温度、吹出温度とヒータを通過するときの風速についての特性図
【図４】本発明のヒータのキュリー-温度を低くした場合のヒータ表面温度とヒータを通過するときの風速についての特性図
【図５】（ａ）本発明の実施例１における浴室換気乾燥機の乾燥運転時におけるヒータの入力電力と衣類乾燥時間との関係を示す特性図（ｂ）ヒータの入力電力とランニングコストとの関係を示す特性図
【図６】本発明の実施例２における浴室換気乾燥機の運転を制御するための電気回路図
【図７】本発明の実施例２における浴室換気乾燥機の内部構成を示す側面図
【図８】本発明の実施例３における浴室換気乾燥機の内部構成を示す側面図
【図９】本発明の実施例４における浴室換気乾燥機の内部構成を示す側面図
【図１０】（ａ）本発明の実施例５における浴室換気乾燥機の内部構成を示す側面図（ｂ）本発明の実施例５における浴室換気乾燥機のダンパ部下面より見た下面図
【図１１】（ａ）本発明の実施例６における乾燥、暖房運転時の浴室換気乾燥機の内部構成を示す側面図（ｂ）本発明の実施例６における換気運転時の浴室換気乾燥機の内部構成を示す側面図
【図１２】（ａ）本発明の実施例７における浴室換気乾燥機の内部構成を示す側面図（ｂ）本発明の実施例７における浴室換気乾燥機の換気ユニットの取り付け図（ｃ）本発明の実施例７における浴室換気乾燥機の換気ユニットの取り付け図
【符号の説明】
【００８２】
１０  本体
１１  排気口
１２  吸込開口
１３  吹出開口
１４、６１、６２  ファン
１５、６３  ファンモータ
１６  ヒータ
１７  ルーバ
１８  吸込口
１９  吹出グリル
２１  排気風路
２２  循環吹出風路
２３、７３、７５、８２  ダンパ
２４、７４、８１  ダンパ駆動モータ
２５  スイッチボックス
２６  ファンスイッチ
２７  ヒータスイッチ
２８  風量スイッチ
２９  ＬＥＤ
３０  ＰＴＣ素子
３１  電極
３２  絶縁アルミナ板
３３  放熱アルミフィン
３４  商用交流電源
３５  運転スイッチ
３６  電流ヒューズ
３７  速調スイッチ
３８  ヒータｏｎ／ｏｆｆスイッチ
３９  ヒータ用リレー
４０  保護装置
４１  位置制御スイッチ
３８１  手動スイッチ
３８２  タイムスイッチ
４２  ヒータユニット
５１、５２  除菌ユニット
５５  デシカント素子
５６  モータ
５７  乾燥用ヒータ
６５  隔壁
６６  第１の室
６７  第２の室
６８  吸気口
６９  ダクト
７１、７２  吸込開口
８０  換気ユニット
８３  換気ファンモータ
【図１】
2005195290.tif 000003
【図２】
2005195290.tif 000004
【図３】
2005195290.tif 000005
【図４】
2005195290.tif 000006
【図５】
2005195290.tif 000007
【図６】
2005195290.tif 000008
【図７】
2005195290.tif 000009
【図８】
2005195290.tif 000010
【図９】
2005195290.tif 000011
【図１０】
2005195290.tif 000012
【図１１】
2005195290.tif 000013
【図１２】
2005195290.tif 000014